(57)【要約】【課題】鍵盤楽器奏者の望む任意の位置に載置部の高さ位置を簡単な操作で調整可能とすることができ、載置部の高さ位置調整作業の労力的負担および時間的負担を軽減することができる昇降装置および同昇降装置を備えた補助台を提供する。【解決手段】ピアノ用補助台１０の載置部１２は、昇降装置２０によって支持されている。昇降装置２０は、載置部１２を昇降可能支持するリンク部材で構成されるパンタアーム２３ａ，２３ｂと、同パンタアーム２３ａ，２３ｂを伸張させる側に押圧するキックバネ２９ａ，２９ｂと、同パンタアーム２３ａ，２３ｂにおける外側アーム２４ａ，２４ｂと内側アーム２５ａ，２５ｂとの交差角を固定するための固定手段を備えている。固定手段は、パンタアーム２３ａ，２３ｂの昇降変位により変位するスライドプレート３４を解除ロッド３３の締め込みによる平ワッシャ３５ｂの挟み込みでパンタアーム２３ａ，２３ｂの交差角を固定する。【選択図】  図１
2010085672.tif 000002
【特許請求の範囲】
【請求項１】
鍵盤楽器奏者の着座する鍵盤楽器用椅子、または同鍵盤楽器奏者の前記着座時における足の載せ台となる補助台または補助ペダル装置に用いられ、前記鍵盤奏者の身体の少なくとも一部を載置する載置部を基部に対して昇降させるための昇降装置において、
前記基部と前記載置部との間に配置され、外側アームと内側アームとをＸ字状に連結した交差角を変化させることにより前記載置部を前記基部に対して昇降させるパンタアームと、
前記載置部を上昇させる側に前記パンタアームの交差角を変化させる力を前記外側アームおよび前記内側アームに付与する付勢手段と、
前記パンタアームの交差角を任意の交差角で選択的に固定する固定手段とを備えたことを特徴とする昇降装置。
【請求項２】
請求項１に記載した昇降装置において、
前記パンタアームは、互いに対向配置された２つのパンタアームが前記載置部側および前記基部側でそれぞれ互いに連結体で連結されており、
前記付勢手段は、前記載置部側および前記基部側の各連結体を互いに反対方向に押圧するキックバネで構成され、
前記固定手段は、
前記外側アームと前記内側アームとの交差角の変位に応じて往復変位する第１軸部または第１スリット部と、
前記第１軸部または前記第１スリット部の変位を許容しつつ前記第１軸部が貫通する第２スリット部または前記第１スリット部に貫通する第２軸部と、
前記第１軸部または前記第２軸部に設けられ、前記第１スリット部または前記第２スリット部を挟む一対の挟み部材と、
前記第１軸部または前記第２軸部に設けられ、前記一対の挟み部材の少なくとも一方を変位させて前記第１スリット部または前記第２スリット部を押圧して挟む挟み部材変位手段とを備えたことを特徴とする昇降装置。
【請求項３】
鍵盤楽器奏者の着座する鍵盤楽器用椅子、または同鍵盤楽器奏者の前記着座時における足の載せ台となる補助台または補助ペダル装置において、
前記請求項１または前記請求項２に記載の昇降装置を備えることを特徴とする鍵盤楽器用椅子、補助台、または補助ペダル。
【発明の詳細な説明】
【技術分野】
【０００１】
本発明は、鍵盤楽器奏者の着座する鍵盤楽器用椅子、または同鍵盤楽器奏者の着座時における足の載せ台となる補助台または補助ペダル装置に用いられる昇降装置、および同昇降装置を備えた鍵盤楽器用椅子、補助台または補助ペダル装置に関する。
【背景技術】
【０００２】
一般に、鍵盤楽器奏者の着座する鍵盤楽器用椅子、または同鍵盤楽器奏者の着座時における足の載せ台となる補助台または補助ペダル装置においては、臀部や足などの身体の一部を載置する載置部を基部に対して昇降させる昇降装置が備えられている。昇降装置は、鍵盤楽器奏者の身長に合わせて臀部や足などを載置する載置部を昇降させるものである。なお、この場合、補助台は、主として子供の鍵盤楽器奏者が鍵盤楽器用椅子に着座した際、床面上に浮いた足を安定させるための足の載せ台である。また、補助ペダル装置は、前記補助台に鍵盤楽器のフットペダルを操作するための補助ペダルが設けられたものである。
【０００３】
従来、これらの鍵盤楽器用椅子、補助台および補助ペダル装置に用いられる昇降装置は、鍵盤楽器奏者による送りネジ機構の回転操作によって行われている。例えば、下記特許文献１には、送りネジ機構で構成される位置調整手段におけるグリップを鍵盤楽器奏者が回転させることにより載置部である足置き板を昇降させる補助ペダル装置が開示されている。
【特許文献１】特開２００３−２９５８５５号公報
【０００４】
しかしながら、このような昇降装置においては、載置部の高さ位置調整は鍵盤楽器奏者による送りネジ機構の回転操作によって行われるため、載置部の高さ位置調整作業が極めて煩雑な作業であるという問題がある。すなわち、これらの鍵盤楽器用椅子、補助台および補助ペダル装置における昇降装置においては、載置部の高さ位置をきめ細かく設定可能とするため、送りネジ機構における送りネジの回転量に対する載置部の変位量は小さく設定されている。このため、載置部の高さ位置を大きく変化させる場合、例えば、低学年の児童から高学年の児童に鍵盤楽器奏者が変わる場合などには、送りネジ機構における送りネジの回転数が増大して載置部の高さ位置調整作業の労力的負担および時間的負担が大きいという問題があった。
【発明の開示】
【０００５】
本発明は上記問題に対処するためなされたもので、その目的は、鍵盤楽器奏者の望む任意の位置に載置部の高さ位置を簡単な操作で調整可能とすることができ、載置部の高さ位置調整作業の労力的負担および時間的負担を軽減することができる昇降装置、および同昇降装置を備えた鍵盤楽器用椅子、補助台または補助ペダル装置を提供することにある。
【０００６】
上記目的を達成するため、請求項１に係る本発明の特徴は、鍵盤楽器奏者の着座する鍵盤楽器用椅子、または同鍵盤楽器奏者の着座時における足の載せ台となる補助台または補助ペダル装置に用いられ、鍵盤奏者の身体の少なくとも一部を載置する載置部を基部に対して昇降させるための昇降装置において、基部と載置部との間に配置され、外側アームと内側アームとをＸ字状に連結した交差角を変化させることにより載置部を基部に対して昇降させるパンタアームと、載置部を上昇させる側にパンタアームの交差角を変化させる力を外側アームおよび内側アームに付与する付勢手段と、パンタアームの交差角を任意の交差角で選択的に固定する固定手段とを備えたことにある。
【０００７】
この場合、前記昇降装置において、パンタアームは、互いに対向配置された２つのパンタアームが載置部側および基部側でそれぞれ互いに連結体で連結されており、付勢手段は、載置部側および基部側の各連結体を互いに反対方向に押圧するキックバネで構成され、固定手段は、外側アームと内側アームとの交差角の変位に応じて往復変位する第１軸部または第１スリット部と、第１軸部または第１スリット部の変位を許容しつつ第１軸部が貫通する第２スリット部または第１スリット部に貫通する第２軸部と、第１軸部または第２軸部に設けられ、第１スリット部または第２スリット部を挟む一対の挟み部材と、第１軸部または第２軸部に設けられ、前記一対の挟み部材の少なくとも一方を変位させて第１スリット部または第２スリット部を押圧して挟む挟み部材変位手段とを備えるとよい。
【０００８】
このように構成した請求項１に係る本発明の特徴によれば、鍵盤楽器奏者の身体の一部を載置する載置部は、外側アームと内側アームとをＸ字状に交差させ可動的に連結させたパンタアームと、同パンタアームを伸張させる側に押圧する付勢手段と、同パンタアームにおける外側アームと内側アームとの交差角を固定する固定手段とを備えた昇降装置によって支持されている。すなわち、本発明に係る昇降装置は、載置部を上昇させる向きの押圧力をパンタアームに常時付与した状態で、同パンタアームの伸縮を選択的に固定するように構成されている。これにより、パンタアームの伸縮の固定を解除した場合においては、載置部は付勢手段による押圧力によって自動的または僅かな力の補助で上昇する。したがって、載置部の高さを調整する調整作業者は、パンタアームの伸縮の固定を解除することにより載置部が上昇側に付勢された状態で高さ方向の変位が自由となるため、載置部を所望する任意の高さ位置に簡単に調整することができる。この結果、載置部の高さ位置調整作業の労力的負担および時間的負担を軽減することができる。
【０００９】
また、本発明は昇降装置の発明として実施できるばかりでなく、同昇降装置を備えた鍵盤楽器用椅子、補助台または補助ペダル装置の発明としても実施できるものである。
【発明を実施するための最良の形態】
【００１０】
以下、本発明に係る昇降装置の一実施形態について図面を参照しながら説明する。図１（Ａ）〜（Ｃ）は、本発明に係る昇降装置２０を備えたピアノ補助台１０を示しており、（Ａ）は同ピアノ補助台１０の平面図であり、（Ｂ）は同ピアノ補助台１０の正面図であり、（Ｃ）は同ピアノ補助台１０の右側面図である。なお、図１（Ａ）〜（Ｃ）は、ピアノ補助台１０に備えられる昇降装置２０を実線または破線で示し、その他の部分を二点差線で示している。また、図１（Ｃ）および後掲する図２（Ｃ）においては、理解を助けるため必要な範囲で一部の構成部品を破線（隠れ線）で示している。このピアノ用補助台１０は、ピアノの演奏時にピアノ用椅子に着座するピアノ奏者の足を載せることによりピアノ奏者の姿勢の安定化を図るためのものである。
【００１１】
（昇降装置２０の構成）
このピアノ用補助台１０は、主として、昇降装置２０と、同昇降装置２０の周囲に配置されたベース部１１および載置部１２とで構成されている。ベース部１１は、昇降装置２０を収容するピアノ用補助台１０の筐体であり、木製の板材を上面が開放した箱状に組み付けて構成されている。このベース部１１は、本発明における基部に相当する。載置部１２は、図示しないピアノ奏者の足が載置される載置台でありベース部１１の上部に昇降装置２０を介して配置される。
【００１２】
昇降装置２０は、ベース部１１内に設けられており、同ベース部１１に対して載置部１２を昇降させるためのものである。この昇降装置２０は、下側フレーム２１を備えている。下側フレーム２１は、断面形状が略Ｌ字状の２つの鋼製のＬ字フレーム２１ａ，２１ｂを互いに平行な状態で対向配置して連結板２１ｃ，２１ｄで連結したものである。これら２つのＬ字フレーム２１ａ，２１ｂにおける一方（図１（Ｃ）において左側）の端部には、長孔状のスリット２２ａ，２２ｂ（２２ｂは図示せず）がそれぞれ形成されている。この下側フレーム２１には、２つのパンタアーム２３ａ，２３ｂがそれぞれ連結されている。
【００１３】
パンタアーム２３ａ，２３ｂは、それぞれ外側アーム２４ａ，２４ｂと内側アーム２５ａ，２５ｂとをＸ字状に交差させた鋼製のリンク部材であり、下側フレーム２１における２つのＬ字フレーム２１ａ，２１ｂごとに設けられている。これら２つのパンタアーム２３ａ，２３ｂにおける外側アーム２４ａ，２４ｂの各上端部および内側アーム２５ａ，２５ｂの各下端部には、外側に凸状に突出した軸部２６ａ，２６ｂ，２７ａ，２７ｂ（２６ｂ，２７ｂは図示せず）がそれぞれ形成されている。
【００１４】
これら各２つの軸部２６ａ，２６ｂ，２７ａ，２７ｂのうち、軸部２７ａ，２７ｂは、前記Ｌ字フレーム２１ａ，２１ｂにおける一方（図１（Ｃ）において左側）の端部に設けられたスリット２２ａ，２２ｂ（２２ｂは図示せず）内に摺動可能な状態で嵌められている。すなわち、パンタアーム２３ａ，２３ｂにおける内側アーム２５ａ，２５ｂの下端部は、Ｌ字フレーム２１ａ，２１ｂに沿ってスリット２２ａ，２２ｂ内を摺動しながら変位する。一方、パンタアーム２３ａ，２３ｂにおける外側アーム２４ａ，２４ｂの各下端部は、Ｌ字フレーム２１ａ，２１ｂの他方の（図１（Ｃ）において右側）の端部に回転摺動可能な状態で連結されている。
【００１５】
２つのパンタアーム２３ａ，２３ｂは、互いに対向する外側アーム２４ａ，２４ｂ同士および内側アーム２５ａ，２５ｂ同士が５つの棒状の連結体２８ａ，２８ｂ，２８ｃ，２８ｄ，２８ｅによって互いに連結されている。これら５つの連結体２８ａ〜２８ｅのうち、連結体２８ａは、外側アーム２４ａ，２４ｂと内側アーム２５ａ，２５ｂとの交差点上において２つのパンタアーム２３ａ，２３ｂを連結している。また、連結体２８ｂは互いに対向する内側アーム２５ａ，２５ｂの下端部同士を連結しており、連結体２８ｃは互いに対向する外側アーム２４ａ，２４ｂの下端部同士を連結しており、連結体２８ｄは互いに対向する内側アーム２５ａ，２５ｂの上端部同士を連結しており、連結体２８ｅは互いに対向する外側アーム２４ａ，２４ｂの上端部同士を連結している。すなわち、２つのパンタアーム２３ａ，２３ｂは、一体的に変形するように連結されている。
【００１６】
連結体２８ａの両端部には、キックバネ２９ａ，２９ｂがそれぞれ設けられている。キックバネ２９ａ，２９ｂは、捻る力に反発するバネ体であり、線状のバネ鋼の中央部をコイル状に巻き回すとともに同バネ鋼の両端部を直線状に延ばした形状に形成されている。このキックバネ２９ａ，２９ｂは、一方（図１（Ｃ）において上側）の端部が前記連結体２８ｅの下面を押圧するとともに、他方（図１（Ｃ）において下側）の端部が前記連結体２８ｂの上面を押圧するように連結体２８ａの外周部にそれぞれ配置されている。これにより、外側アーム２４ａ，２４ｂの上端部側は図示上側に常に押圧（付勢）された状態となっている。
【００１７】
パンタアーム２３ａ，２３ｂにおける外側アーム２４ａ，２４ｂおよび内側アーム２５ａ，２５ｂの各上端部には、上側Ｌ字フレーム３０ａ，３０ｂがそれぞれ固定されている。上側Ｌ字フレーム３０ａ，３０ｂは、それぞれ断面形状が略Ｌ字状に形成されており、一方（図１（Ｃ）において左側）の端部には、長孔状のスリット３１ａ，３１ｂがそれぞれ形成されている。これら２つの上側Ｌ字フレーム３０ａ，３０ｂにおける他方（図１（Ｃ）において右側）の端部には、パンタアーム２３ａ，２３ｂにおける２つの内側アーム２５ａ，２５ｂの各上端部が回転摺動可能な状態でそれぞれ連結されている。
【００１８】
一方、上側Ｌ字フレーム３０ａ，３０ｂにおける一方の（図１（Ｃ）において左側）の端部には、同端部に設けられたスリット３１ａ，３１ｂ内にパンタアーム２３ａ，２３ｂの外側アーム２４ａ，２４ｂの各上端部に形成された軸部２６ａ，２６ｂが摺動可能な状態でそれぞれ嵌められている。すなわち、パンタアーム２３ａ，２３ｂにおける外側アーム２４ａ，２４ｂの各上端部は、上側Ｌ字フレーム３０ａ，３０ｂに沿ってスリット３１ａ，３１ｂ内をそれぞれ変位するように組み付けられている。
【００１９】
上側Ｌ字フレーム３０ｂの中央部外側には、六角ナット３２が固着されている。そして、この上側Ｌ字フレーム３０ｂに固着された六角ナット３２には、上側Ｌ字フレーム３０ａ，３０ｂの中央部を貫通した状態で解除ロッド３３の一端部が噛み合わされている（以下、「螺合」という）。この解除ロッド３３における他端部（上側Ｌ字フレーム３０ａ側の端部）には回転ノブ３３ａが固着されている。この解除ロッド３３と前記連結体２８ｅとの間には、６つのスライドプレート３４がそれぞれ掛け渡されている。
【００２０】
スライドプレート３４は、帯状の鋼材で構成された板状体であり、一方（図１（Ｃ）において左側）の端部が連結体２８ｅの両端部にそれぞれ３枚ずつの平ワッシャ３５ａを介して略水平な状態で固着されている。スライドプレート３４における他方（図１（Ｃ）において右側）の端部には、上側Ｌ字フレーム３０ａ，３０ｂに平行な長孔状のスリット３４ａが形成されており、同スリット３４ａ内に解除ロッド３３が貫通している。すなわち、スライドプレート３４における他方（図１（Ｃ）において右側）の端部は、解除ロッド３３の両端部にそれぞれ３枚ずつの平ワッシャ３５ｂを介して略水平な状態でかつ、スリット３４ａ内において解除ロッド３３を摺動可能に貫通した状態で同解除ロッド３３に支持されている。
【００２１】
解除ロッド３３におけるスライドプレート３４が設けられた各両側には、スライド筒３６ａ，３６ｂ，３６ｃが設けられている。スライド筒３６ａ，３６ｂ，３６ｃは、解除ロッド３３の外径より大きい内径に形成されるとともに、平ワッシャ３５ｂの外径と略同じ外径に形成された筒体であり、解除ロッド３３に摺動自在な状態で嵌合している。また、解除ロッド３３には、スライド筒３６ａに隣接して押圧筒３７が固着されている。また、上側Ｌ字フレーム３０ａ，３０ｂの各上面には、前記載置部１２が固定されている。
【００２２】
（昇降装置２０の作動）
次に、このように構成された昇降装置２０を備えたピアノ用補助台１０の作動について説明する。なお、この作動説明においては、ピアノ用補助台１０の載置部１２の高さ位置調整を行う者を「作業者」と称する。また、ピアノ用補助台１０における載置部１２は、当初、最も低い位置に位置決めされているものとして説明する（図１参照）。まず、作業者は、ピアノ用補助台１０を所定の位置に設置する。このピアノ用補助台１０を設置する所定の位置は、ピアノ奏者がピアノ用椅子（図示せず）に着座した際における同ピアノ奏者の足の下方の位置である。
【００２３】
次に、作業者は、ピアノ用補助台１０における載置部１２の高さを調整する。具体的には、作業者は、回転ノブ３３ａを回転操作することにより六角ナット３２に螺合した解除ロッド３３の締め付けを緩める。この回転ノブ３３ａの回転操作により、解除ロッド３３に固着された押圧筒３７は解除ロッド３３とともに図１（Ａ），（Ｂ）における図示右側に変位する。これにより、押圧筒３７がスライド筒３６ａ，３６ｂ，３６ｃを押圧する押圧力が解除される。この結果、スライドプレート３４を平ワッシャ３５ｂを介して挟むスライド筒３６ａ，３６ｂ，３６ｃがフリーの状態となり、スライドプレート３４内を解除ロッド３３が摺動可能な状態となる。すなわち、パンタアーム２３ａ，２３ｂにおける外側アーム２４ａ，２４ｂと内側アーム２５ａ，２５ｂとの交差角が変位可能な状態となる。
【００２４】
この場合、パンタアーム２３ａ，２３ｂにおける外側アーム２４ａ，２４ｂの各上端部は、キックバネ２９ａ，２９ｂにより図示上側に常に押圧された状態となっている。このため、パンタアーム２３ａ，２３ｂは、図示上方に向かって伸張する側に外側アーム２４ａ，２４ｂと内側アーム２５ａ，２５ｂとの交差角が変化する。これにより、上側Ｌ字フレーム３０ａ，３０ｂに固定された載置部１２は自動的に上昇を開始する。
【００２５】
この場合、外側アーム２４ａ，２４ｂの軸部２６ａ，２６ｂおよび内側アーム２５ａ，２５ｂの軸部２７ａ，２７ｂは、上側Ｌ字フレーム３０ａ，３０ｂのスリット３１ａ，３１ｂおよびＬ字フレーム２１ａ，２１ｂのスリット２２ａ，２２ｂ内を図示右側に向って摺動しながら変位する。また、解除ロッド３３が貫通するスリット３４ａが形成されたスライドプレート３４も図示右側に向って摺動しながら変位する。これらの軸部２６ａ，２６ｂ，２７ａ，２７ｂおよびスライドプレート３４の変位可能範囲、すなわち、載置部１２の昇降範囲は、スリット３１ａ，３１ｂ，２２ａ，２２ｂ，３４ａの長さに対応する。
【００２６】
作業者は、ピアノ用補助台１０の載置部１２を図１（Ｃ）に示す矢印方向に手などで押さえながら載置部１２の高さ位置を所望する位置に位置決めする。載置部１２の高さ位置を所望する位置に位置決めした作業者は、図２（Ａ）〜（Ｃ）に示すように、回転ノブ３３ａを回転操作することにより解除ロッド３３を六角ナット３２に再び締め付ける。この回転ノブ３３ａを回転操作による解除ロッド３３の締め付けにより、解除ロッド３３に固着された押圧筒３７は解除ロッド３３とともに図２（Ａ），（Ｂ）における図示左側に変位する。
【００２７】
これにより、スライドプレート３３を平ワッシャ３４ｂを介して挟むスライド筒３５ａ，３５ｂ，３５ｃは押圧筒３７に押圧される。この結果、スライドプレート３４は、平ワッシャ３５ｂを介してスライド筒３６ａ，３６ｂ，３６ｃによって圧迫された状態で挟まれ、スライドプレート３４内を解除ロッド３３が摺動不可能な状態となる。すなわち、パンタアーム２３ａ，２３ｂにおける外側アーム２４ａ，２４ｂと内側アーム２５ａ，２５ｂとの交差角が変位不可能な状態となる。これにより、載置部１２の高さ位置は固定される。
【００２８】
すなわち、スライドプレート３４におけるスリット３４ａが本発明に係る固定手段における第１スリット部に相当し、解除ロッド３３が本発明に係る固定手段における第２軸部に相当する。また、スライドプレート３４を挟む平ワッシャ３５ｂおよびスライド筒３６ａ，３６ｂ，３６ｃが本発明に係る固定手段における挟み部材に相当し、解除ロッド３３および六角ナット３２が本発明に係る固定手段における挟み部材変位手段に相当する。
【００２９】
そして、作業者は、調整した載置部１２の高さ位置が適切であるか否かを確認し、載置部１２の高さ位置が不適切である場合には、前記した手順にて再度載置部１２の高さ位置を調整する。この場合、載置部１２の高さ位置を下げる場合には、解除ロッド３３を緩めた状態で載置部１２をキックバネ２９ａ，２９ｂの押圧力に抗して押し下げて高さ位置を調整して解除ロッド３３を締め付ける。また、載置部１２の高さ位置を調整する際、解除ロッド３３の緩め（締め）具合を調整することにより載置部１２を徐々に上昇させることができるとともに、載置部１２をキックバネ２９ａ，２９ｂの押圧力に抗して押し下げることにより同載置部１２を徐々に上昇させることもでき、載置部１２の高さ位置を容易に微調整することができる。これらにより、載置部１２の高さ位置を無段階で所望する任意の位置に調整することができる。一方、載置部１２の高さ位置が適切である場合には、作業者は、載置部１２の高さ位置の調整作業を終了する。この後、ピアノ用補助台１０はピアノ奏者の使用に供される。
【００３０】
上記作動説明からも理解できるように、上記実施形態によれば、鍵盤楽器奏者の身体の一部を載置する載置部１２は、外側アーム２４ａ，２４ｂと内側アーム２５ａ，２５ｂとをＸ字状に交差させて可動的に連結したパンタアーム２３ａ，２３ｂと、同パンタアーム２３ａ，２３ｂを伸張させる側に押圧するキックバネ２９ａ，２９ｂと、同パンタアーム２３ａ，２３ｂにおける外側アーム２４ａ，２４ｂと内側アーム２５ａ，２５ｂとの交差角を固定する解除ロッド３３などからなる固定手段とを備えた昇降装置２０によって支持されている。すなわち、本発明に係る昇降装置２０は、載置部１２を上昇させる向きの押圧力をパンタアーム２３ａ，２３ｂに常時付与した状態で、同パンタアーム２３ａ，２３ｂの伸縮を選択的に固定するように構成されている。これにより、パンタアーム２３ａ，２３ｂの伸縮の固定を解除した場合においては、載置部１２はキックバネ２９ａ，２９ｂによる押圧力によって自動的に上昇する。したがって、載置部１２の高さを調整する調整作業者は、パンタアーム２３ａ，２３ｂの伸縮の固定を解除することにより載置部１２が上昇側に付勢された状態で高さ方向の変位が自由となるため、載置部１２を所望する任意の高さ位置に簡単に調整することができる。この結果、載置部１２の高さ位置調整作業の労力的負担および時間的負担を軽減することができる。
【００３１】
さらに、本発明の実施にあたっては、上記実施形態に限定されるものではなく、本発明の目的を逸脱しない限りにおいて種々の変更が可能である。
【００３２】
例えば、上記実施形態においては、本発明に係る付勢手段としてキックバネ２９ａ，２９ｂを用いた。しかし、本発明に係る付勢手段は、載置部１２を上昇させる側にパンタアーム２３ａ，２３ｂの交差角を変化させる力を外側アーム２４ａ，２４ｂおよび内側アーム２５ａ，２５ｂに付与するものであれば、上記実施形態に限定されるものではない。例えば、板バネなどの他の形態のバネや空気圧または油圧を用いてパンタアーム２３ａ，２３ｂの交差角を変化させる力を外側アーム２４ａ，２４ｂおよび内側アーム２５ａ，２５ｂに付与するようにしてもよい。これらによっても、上記実施形態と同様の効果が期待できる。
【００３３】
また、上記実施形態においては、解除ロッド３３を緩めることにより自動的に載置部１２を上昇させる押圧力を発生するキックバネばね２９ａ，２９ｂを用いた。しかし、必ずしも載置部１２を自動的に上昇させる必要はなく、解除ロッド３３を緩めることにより作業者による僅かな力の補助により載置部１２を上昇させることができる程度の押圧力を発生するキックバネ２９ａ，２９ｂを用いてもよいことは当然である。これによっても、上記実施形態と同様の効果が期待できる。
【００３４】
また、上記実施形態においては、スライドプレート３４を連結体２８ｅに固定してスリット３４ａを解除ロッド３３に対して変位させるように構成した。しかし、スライドプレート３４を解除ロッド３３に固定するとともに、スライドプレート３４に設けたスリット３４ａに連結体２８ｅを貫通させて構成してもよい。この場合、スライドプレート３４に設けたスリット３４ａ内を連結体２８ｅが変位する。すなわち、スライドプレート３４におけるスリット３４ａが本発明に係る固定手段における第２スリット部に相当し、連結体２８ｅが本発明に係る固定手段における第１軸部に相当する。なお、この場合、スリット３４ａ内における連結体２８ｅの変位を固定する固定手段（六角ナット３２、解除ロッド３３、平ワッシャ３５ｂ、スライド筒３６、押圧筒２７）は、連結体２８ｅに設けることになる。これによっても、上記実施形態と同様の効果が期待できる。また、この場合、スライドプレート３４に設けたスリット３４ａに代えてスリット３１ａ，３１ｂ本発明に係る固定手段における第２スリット部とすることができる。これによれば、スライドプレート３４が不要となり昇降装置２０の構成を簡単にすることができる。
【００３５】
また、上記実施形態においては、本発明に係る昇降装置２０をピアノ用補助台１０に適用した例について説明した。しかし、本発明に係る昇降装置２０は、ピアノ以外の鍵盤楽器、例えば、電子ピアノやオルガン用の補助台としても実施できることは当然である。また、本発明に係る昇降装置２０は、ピアノなどの鍵盤楽器に用いられる補助台以外の機器、例えば、図３に示すペダル補助装置４０や図４に示す鍵盤楽器用椅子５０などの昇降装置２０としても適用することができる。これらによっても、上記実施形態と同様の効果が期待できる。なお、補助ペダル装置は、前記補助台１０に鍵盤楽器のフットペダルを操作するための補助ペダルが設けられたものである。また、鍵盤楽器用椅子は、鍵盤楽器奏者が演奏する際に着座する椅子である。
【図面の簡単な説明】
【００３６】
【図１】（Ａ）〜（Ｃ）は、本発明に係る昇降装置を備えたピアノ補助台を示しており、（Ａ）は同ピアノ補助台の平面図であり、（Ｂ）は同ピアノ補助台の正面図であり、（Ｃ）は同ピアノ補助台の右側面図である。
【図２】（Ａ）〜（Ｃ）は、図１に示すピアノ補助台において載置部を上昇させた状態を示しており、（Ａ）は同ピアノ補助台の平面図であり、（Ｂ）は同ピアノ補助台の正面図であり、（Ｃ）は同ピアノ補助台の右側面図である。
【図３】本発明に係る他の実施形態に係るペダル補助装置を示す斜視図である。
【図４】本発明に係る他の実施形態に係る鍵盤楽器用椅子を示す斜視図である。
【符号の説明】
【００３７】
１０…ピアノ用補助台、１１…ベース部、１２…載置部、２０…昇降装置、２１…下側フレーム、２１ａ，２１ｂ…Ｌ字フレーム、２２ａ，２２ｂ、３１ａ，３１ｂ，３４ａ…スリット、２３ａ，２３ｂ…パンタアーム、２４ａ，２４ｂ…外側アーム、２５ａ，２５ｂ…内側アーム、２６ａ，２６ｂ，２７ａ，２７ｂ…軸部、２８ａ，２８ｂ，２８ｃ，２８ｄ，２８ｅ…連結体、２９ａ，２９ｂ…キックバネ、３０ａ，３０ｂ…上側Ｌ字フレーム、３２…六角ナット、３３…解除ロッド、３４…スライドプレート、３５ａ，３５ｂ…平ワッシャ、３６ａ，３６ｂ，３６ｃ…スライド筒、３７…押圧筒。
【図１】
2010085672.tif 000003
【図２】
2010085672.tif 000004
【図３】
2010085672.tif 000005
【図４】
2010085672.tif 000006